(57)【要約】【課題】付加的効果を可能とする改良された三次元ディスプレイの作製方法及び使用する装置を提案すると共に、三次元構造体の容易化した撮像を実現可能にする。【解決手段】三次元構造体をリアル又はヴァーチャルに再現するための媒体を製造する方法において、レンズシステムを具えるフィルムがレンズを通過して露光されるように、前記システムを記録する。全体のレンズマトリックス‐システムを観照することにより、三次元画像が生じる。この画像は、ディスプレイ媒体に対して相対的に固定位置とすることができる。装置は、本方法で作製された再現用媒体の製造に供する。【選択図】図１
2007504483.tif 000002
【特許請求の範囲】
【請求項１】
露光するフィルム（１）を用いて三次元のリアル構造体又はヴァーチャル構造体を撮像及び／又は再現する装置であって、フィルム（１）はレンズ系（３）を具え、撮像用レンズは対物レンズとして、再現用レンズは接眼レンズとして機能する装置において、レンズの光路には開き絞り（１０）又はLCD‐シャッタを具えることを特徴とする装置。
【請求項２】
請求項１記載の装置において、開き絞り（１０）を全体的又は部分的にレンズ内に配置することを特徴とする装置。
【請求項３】
請求項１記載の装置において、開き絞り（１０）は、透明度が局所に依存する材料から作製されることを特徴とする装置。
【請求項４】
請求項３記載の装置において、開き絞り（１０）は、１個又は複数個のレンズ層に拡散する色素から作製されることを特徴とする装置。
【請求項５】
請求項４記載の装置において、開き絞り（１０）は、１個又は複数個のレンズ層に拡散する色素から作製され、色素の拡散は熱的又は紫外線光によって停止されることを特徴とする装置。
【請求項６】
請求項４記載の装置において、開き絞り（１０）は、１個又は複数個のレンズ層に拡散する色素から作製され、その色素として特定のレンズ層で特に良好に拡散可能なものを選択することを特徴とする装置。
【請求項７】
請求項２記載の装置において、レンズ層のレンズに設けた空隙は食刻されたことを特徴とする装置。
【請求項８】
請求項１記載の装置において、個々のレンズ層を互いに接合する接着剤は制限された透明性を有すると共に、開き絞りを形成することを特徴とする装置。
【請求項９】
請求項１記載の装置において、レンズ（５，６，７）間に隔壁（８）を具えることを特徴とする装置。
【請求項１０】
請求項１記載の装置において、レンズ（５，６，７）に対応させたディスクは、入射角に依存する透明性を有し、この透明性は僅かな度数内で急激に上昇することを特徴とする装置。
【請求項１１】
請求項１記載の装置において、レンズ層の内部又は部分的な内部には接着剤の供給チャンネルのためにスペースを確保することを特徴とする装置。
【請求項１２】
請求項１記載の装置において、フィルム（１）を個々の湾曲したフィルムのマトリックスに配分したことを特徴とする装置。
【請求項１３】
請求項１又は２に記載の方法において、レンズ系を具えるフィルムに１個又は複数個のリトロレフレクタフォイル及び／又は１個の半透明ミラーが対応すること特徴とする方法。
【請求項１４】
請求項１〜１２の何れか一項に記載の装置を製造する方法において、光学軸上に位置する２個以上のレンズがアクロマート又はアポクロマートを形成することを条件として、２個以上のレンズ層が接着剤を介して真空下及び／又は機械的圧力下で互いに接合することを特徴とする方法。
【請求項１５】
リアル構造体又は算出した三次元構造体をリアル又はヴァーチャルに再現する媒体を製造する方法であって、撮像を作成し、レンズ系を具えたフィルムがレンズを通じて露光される方法において、光非透過性フォイルが光透過性テープと離間してフィルム上に移動し、露光を実行することを特徴とする方法。
【請求項１６】
請求項１５記載の方法において、変化する三次元構造体は、同様に変化する長い露光によって撮像されることを特徴とする方法。
【発明の詳細な説明】
【技術分野】
【０００１】
本発明は，リアル構造体又は算出した三次元構造体をリアル又はヴァーチャルに再現するための媒体を製造する方法に関するものである。
【０００２】
更に、本発明は、三次元のリアル構造体又はヴァーチャル構造体を撮像及び／又は再現するための媒体を製造する装置に関するものである。
【背景技術】
【０００３】
公知の三次元ディスプレイにおいて、プリントはレンズ系を具え、ビューワーは専らレンズ系を通してプリントを観照することができる。通常、これらのレンズはシリンダレンズとして長手方向に媒体の全長に亙って配置され、観照角度に応じて、ビューワーは異なる角度から見て、様々な画像情報を知覚する。このような写像で様々な効果が得られるか、様々な画像がディスプレイされる。例えば、ひとりの人物を様々なポジションに示したり、三次元効果が具現する。
【発明の開示】
【発明が解決しようとする課題】
【０００４】
本発明の課題は，付加的効果を可能とする改良された三次元ディスプレイの作製方法及び使用する装置を提案すると共に、三次元構造体の容易化した撮像を実現可能にすることにある。
【課題を解決するための手段】
【０００５】
この課題を解決するため，本発明の方法は、レンズ系を具えるフィルムがレンズを通じて露光されるように撮像を作製することを特徴とする。
【０００６】
上述のように作製された媒体は、対応するレンズ系を具えるフィルムを観照する際に、ディスプレイ媒体に対して相対的に固定位置とする三次元画像が可視となるのが有利である。本発明において、レンズ系を具えるフィルムとは、フィルム又は感光粒子を含む層を具えるレンズ系と理解することもできる。フィルムとレンズ間の調整は不要である。両者は、事後的に互いに整列する必要がなく、同時に対応して撮像されるからである。本発明の方法により、全ての空間方向にパララックス情報を有する像平面の前方及び後方に対物レンズを有する三次元ディスプレイ、ネガティブ‐ホロウ画像、運動の記録及び表象、三次元フォトモンタージュ、オブジェクトの出現及び消滅、多数の二次元画像、ズーム効果又はモルフィン効果の表示等とするコンピュータ技術で再処理可能な画像又は擬制的画像によって表象しうる全てのものが含まれる。これらの効果を組み合わせることも可能である。
【０００７】
本発明による方法において、三次元システム又はネガティブ‐ホロウ画像を受容することも可能である。ネガティブ‐ホロウ画像を撮像すると共に、三次元画像を作製する。あるいは、三次元構造体を撮像すると共に、ネガティブ‐ホロウ画像を作製する。リアルな三次元構造体が受容され、レンズ系を具えたフィルムがレンズを通して露光され、現像されると、このフィルムは三次元構造体のネガティブ‐ホロウ画像を示すことがレンズ系を通じて観照される。このフィルムは、現像のために白黒‐ネガティブ又はカラー‐ネガティブであり、このネガティブはレンズ系のためにホロウ画像の形状とする。ホロウ画像では、全ての立体的関係が異なるものとなる。立体的には、あたかも全てのオブジェクトが内部から観照され、ビューワーには遠い方のオブジェクト部分が近い方の部分を覆い隠すように見える。したがって、１個のホロウ画像のホロウ画像は、再び立体的に常態である。同様に、概念のホロウ画像はホログラフィーでも使用され、トランスミッションホログラムを後方から観照すると、そこで見えるものが画像となる。
【０００８】
本発明の一実施形態において、可能な限りオリジナルに忠実な再現のためにナチュラルな三次元シーンの撮像を実行する。第１工程ではレンズ系を具える第１フィルムが露光され、ネガティブに現像される。第２工程では、第１フィルムの撮像を作製し、レンズ系を具えた第２フィルムを露光する。三次元画像が第１三次元画像によって撮像される。第１フィルムはネガティブに現像され、両方のフィルムに取り付けたレンズを介して第２フィルムに写像される。次に、第２フィルムをポジティブに現像すると共に、レンズ系を通じて観照する。第１フィルムの観照に際して、全ての撮像されたオブジェクトはネガティブ‐ホロウ画像として、オブジェクトが撮像時にレンズ系付き第１フィルムに対して相対的に位置した個所で見られる。現像した第２フィルムでは、レンズ系によりヴァーチャル画像又はリアル画像が可視となる。この画像は、第２フィルムの露光の間に第１撮像システムのネガティブ‐ホロウ画像が第２撮像システムに対して相対的に位置した個所に位置する。自然光又は非固有の人工照明下の三次元シーンは、万人に応用可能として撮像することができる。
【０００９】
本発明の好適な一実施形態において、露光システムは三次元ディスプレイ又はネガティブ‐ホウル画像の個別画像を順次表示すると共に、幾重の露光によって個別画像を撮像する。露光システムのディスプレイには、三次元ディスプレイ又はネガティブ‐ホロウ画像の算出して拡大された各個別画像が表示され、露光システムのレンズ及びレンズ系のレンズを介してフィルムに写像される。
【００１０】
この工程は、レンズ系の全てのレンズについて反復される。レンズ系のレンズサイズに応じて、約０．０５〜０．５の精度で露光システムのポジショニングが行われる。ポジショニングが不正確であると、撮像の輝度が不均一となり、解像力が僅かに損なわれる。基本的には良好な角分解能及び露光システムの正置となる。自明のことながら、特に複写目的であるならば、三次元ネガティブ‐ホロウ画像の作製に際して、比較的更に正確なポジショニングが有用である。公知のプリント技術とは異なり、シリンダレンズラスターに対する必要なプリント調整が省略される。
【００１１】
更に、画像データの電子処理が可能となり、ネガティブ‐ホロウ画像又は三次元ディスプレイの作製後にレンズから遠い方の媒体側面に高分解の画像走査が実行される。
【００１２】
移動中のオブジェクトの撮像については、変化する三次元構造体を同様に長い変化する露光によって撮像することを提案する。
【００１３】
露光が変化し、光透過性テープを具える光非透過性フォイルが離間してフィルムを超えて移動することにより、移動シーンは撮像可能となる。光透過性テープは、移動中に、ビューワーが撮像の作成後にシーンのディスプレイに際して移動すべき箇所に沿って移動し、三次元ディスプレイにおける相対ポジションは確かに維持される。
【００１４】
本発明の好適な一実施形態において、レンズから遠い方の側面から現像可能なフィルムを使用するか、あるいはレンズから遠い方の媒体側面に直接的又は間接的に施した感光粒子を使用する。
【００１５】
１個以上のリトロレフレクタフォイル及び１個の半透明ミラーがレンズ系を具えるフィルムに対応することにより、空間的な画像反転が阻止される。ポジティブ現像用のフィルム材料が使用可能となり、三次元ポジティブが直接的に作製可能となるのが有利である。三次元ネガティブ‐ホロウ画像が中間生産物として生成されることはない。
【００１６】
この課題を解決するため、本発明の装置を製造する方法は、２個以上のレンズ層を接着剤により真空及び／又は機械的圧力下で互いに接合することを特徴とする。
【００１７】
本方法により、個々のレンズ層の極めて良好な相対ポジショニングが可能となる。その結果、良好な光学質が確保される。更に、レンズ層は光学的コンタクトに移され、安定して互いに結合する。
【００１８】
本発明の一実施形態において、レーザ光を用いて隔壁を材料に焼き付ける。簡単な製造工程とするのが有利であり、隔壁は付加的な構造部材として機械的にレンズと結合するのではなく、レンズ層の生成後にレンズ層に焼き付けることができる。
【００１９】
本発明の別の好適な一実施形態において、開き絞りは色素が１個以上のレンズ層に拡散することによって作製される。この方法により、レンズ内で開き絞りの簡単な作製が可能となる。レンズ内における開き絞りの構造は、別個の構造部材として製造技術的に極めて多くのコストが嵩み、したがって不利である。
【００２０】
拡散工程が長く継続しない場合にのみ、正確に規定した開き絞りの寸法が作成可能となる。色素の拡散が熱的又は紫外線によって停止すると、作成が実現する。
【００２１】
更に、色素の物理特性及び／又は化学特性を適切に選択し、色素は特定のレンズ層へ特に良好に拡散可能となるが、隣接したレンズ層では良好ではない。したがって、特定の領域が不所望に着色されることを阻止することができる。
【００２２】
本発明の更に好適な一実施形態において、空隙はレンズ層のレンズに食刻される。この食刻は、例えば、開き絞り層に鋳込みが可能となり、開き絞りは全体的又は部分的にレンズ内に位置する。これに対する代替的な方法として、開き絞りを形成するために、限定的に透明な実施形態で空隙に十分なスペースを占めることができる接着剤のための場所とする。
【００２３】
本発明の更に別の有利な実施形態において、透明な写真用フィルムは、キャリア材料側で接着剤により、真空及び／又は機械的圧力下でレンズ層に接合し、感光粒子は直接的又は間接的にレンズ層に施される。
【００２４】
前記の課題を解決するため、本発明による装置は、露光させるフィルムを用いてリアル再現又はヴァーチャル再現用の媒体を撮像することに供し、フィルムはレンズ系を具えると共に、撮像用レンズは対物レンズとして、再現用レンズは接眼レンズとして機能することを特徴とする。
【００２５】
本装置は、例えば、三次元シーンを撮像し、限定的な分解能及び限定的な観照角度で表象することに適する。ナチュラルな三次元シーン又は算出された三次元構造体は、レンズ系を具える第１フィルムに撮像される。第１フィルムが現像される。第１フィルムは後方から照明されるのに対し、第２フィルムは露光及び現像される。ビューワーにはリアル画像又はヴァーチャル画像が与えられる。この画像は、第２撮像の間に第１撮像システムのネガティブ‐ホロウ画像が第２撮像システムに対して相対的に位置した個所に正確に位置する。この三次元画像は、第１フィルムのレンズから第２フィルムのレンズまでの距離だけビューワーに近く、第１撮像に際して撮像するシーンが第１フィルムのレンズから離れた位置よりも近い。フィルムの離間したシステムは、フィルムが後方から現像及び定着されるのが有利であり、レンズ系をフィルムから分離する必要はない。その結果、現像したフィルムとレンズ系との組み合わせに際して、フィルムの膨化及び組み合わせ時の調整困難によって生じ得る画像歪みが回避される。
【００２６】
本発明による装置の好適な一実施形態において、レンズ系のレンズは四角形状又は六角形状とする。レンズは、観照距離に応じて、約０．１〜１０ｍｍの大きさとする。例えば、観照距離が３０〜５０ｃｍとするならば、レンズの直径は約０．３ｍｍとなる。レンズが介して見られる視角は、同様にレンズ直径によって決まる角分解能に一致するからである。レンズをレンズマトリックスの形状に配置することも可能である。
【００２７】
フィルムが個々の湾曲したフィルムのマトリックスに配分されるならば、湾曲した焦点面を具えるレンズが使用可能となる。
【００２８】
観照角度が拡大すると、所謂、画像の跳躍が生じるため、隣接するレンズに属する画像情報が見られる。同様に、レンズの後方に位置するフィルム部分の露光中には隣接したレンズによる受光はない。したがって、レンズ間に隔壁を具える。これらの隔壁は黒色又は他の濃暗色とし、可能な限り薄い肉厚とするのが合目的である。
【００２９】
上述した隔壁の使用については、好適には５度未満とする僅かな度数内で急激に上昇する入射角に依存した透明性を有するディスクをレンズに対応させて実現可能となる。急激な上昇とは、可能とあらば１０〜２０倍、少なくとも３倍の上昇と理解される。このようなディスクは、例えば、軸線がディスク法線に対して平行とする多数の管材から構成することができる。
【００３０】
より大きな観照角度で三次元画像を見るために、焦点距離をレンズ直径に対して相対的に短くしなければならない。それにより、当然のことながら角分解能は僅少となるが、屈折ディスクの大きさは変わらない。この理由により、レンズとフィルムとの間に気体又は液体を具え、レンズを２個の屈折界面を有する両凹レンズとして作製可能とすることを提案する。気体として空気がある。ある程度まで広角対物レンズの機能を果たすレンズ系を代替的に投入することも可能である。可能な限り高い屈折率とするレンズ材料により、相対的に短い焦点距離が可能となる。
【００３１】
本発明の更に好適な一実施形態において、レンズの光路には開き絞り又はＬＣＤ‐シャッタを具え、露光時間を制御するために、存在しうるペリフェラルビームをフェードアウトする。
【００３２】
開き絞りを全体的又は部分的にレンズ内に配置することにより、特に鮮明な写像が実現可能となる。開き絞りのポジショニングは一層自由に選択可能となり、様々な光屈折表面にどのようなペリフェラルビームがフェードアウトされるか良好に選択可能となる。それにより、光学質を最適化することができる。
【００３３】
レンズ又は対物レンズの解像力は、光屈折のために制限される。したがって、透明度が場所に依存する材料から開き絞りを作製するか、あるいはレンズ又はレンズ表面が段階的な透明性を有することが重要である。屈折リングを屈折ディスクの分だけ削減することができる。
【００３４】
装置の構造部材を削減することにより、コストの嵩まない容易な製造が可能となる。このような製造は、個々のレンズ層を互いに接合する接着剤が制限的な透明性を有し、開き絞りを形成することによって実現可能となる。接着剤が厚い層を形成する個所では僅かな光しか透過せず、接着剤が薄い層を形成する個所では多くの光を透過する。
【００３５】
入射角がレンズ軸線から遠く離れるにつれ、フィルム上の焦点では光強度が低くなる。同様のプロセスは、レンズを通した観照に際しても実行される。強度の差を調整するために、透明度が場所に依存するコレクト層をレンズシステムとフィルムとの間に配置するのが好適である。強度を修正可能とするために、コレクトフォイルは外部が明るく、内部が暗いものとするのが合目的である。
【００３６】
レンズ層は、正確なポジショニングを可能とするために、係合に正確な表面を有する。そのため、製造時には光学的コンタクトを実現してレンズ層を接合する接着剤を可能な限り気泡なしでレンズ層間に施すことが困難になる。レンズ層の内部又は部分的に内部に接着剤のための導入チャンネルを空けることにより、接着剤の簡単な塗布が可能となる。
【００３７】
本発明は特に、三次元のリアル構造体又はヴァーチャル構造体の再現用媒体を製造する方法及び装置に関し、表象する媒体に対して相対的に固定位置とする三次元画像の露光を可能にすることを特徴とする。第１フィルム、装着フィルム又はオブジェクト又はその他の三次元構造体、露光システムを介して表示された算出した画像データを示すものを撮像するために、レンズ系を具えるフィルムは露光される。既知の方法では不可能とされた全く新しい効果を実現可能とする三次元撮像が具現される。
【発明を実施するための最良の形態】
【００３８】
本発明の更なる細部及び有利については、対応する図面の説明に記載する。以下，本発明を図示の好適な実施形態について更に具体的に説明する。
【００３９】
図１は、本発明による方法の第１作業工程を示している。オブジェクトＡ，Ｂを撮像し、レンズ５，６，７を介してフィルム１’に投影する。露光後にフィルム１’をネガティブとして現像する。これを観照すると、撮像時にレンズ系５，６，７を含むフィルム１’に対して相対的に位置した個所で撮像された全てのオブジェクトＡ，Ｂを見ることができる。自明のことながら、フィルム１’に対向した表面及び表面‐情報だけが見えるため、フィルムに近いオブジェクトはフィルムから遠くのオブジェクトを覆い隠す。
【００４０】
図２に示した次の工程は、第２フィルム１”の露光である。フィルム１’、露光システム２は後方から照明され、フィルムをレンズ５’，６’，７’から分離することなく、フィルム１”を露光して現像する。点A’をA”に、点B'をB”に写像する。フィルム１”は、レンズ５’，６’，７’を通して観照され、ヴァーチャル画像及び／又はリアル画像が可視となる。この画像は、第１撮像システム１２のリアル画像が第２撮像の間に第２撮像システム１３に対して相対的に位置する個所に正確に位置する。再現媒体であるフィルム１'は、フィルム１”がレンズ系３”を具えるのと同様にレンズ系３'を具える。レンズ系３’，３”は、互いに対向した側面４’，４"に配置される。
【００４１】
図３は、ディスプレイ１４を使用した露光システム２を介して表示した画像データの撮像を示している。ディスプレイ１４には、三次元フォト又はネガティブ‐ホロウ画像の算出された個別の拡大画像が表示される。この画像は、好適には撮像システム１３のレンズと同じ直径とするレンズの焦点面に位置すると共に、レンズを通じて無限大に投影される。その結果、レンズ系を具えるフィルムで作成された撮像システム１３が露光される。露光システム２はレンズ直径を更に移動し、対応して算出された隣接する個別画像がディスプレイ１４に表示されると共に、新たに露光される。この工程は、全ての個別画像について反復される。
【００４２】
図４は、画像の“跳躍”を防止するための隔壁８とする付加的部材を具えるフィルム１を示している。更に、気体又は液体９は、屈折する第２レンズ表面に導かれ、レンズの焦点距離を短くする。コレクト層１１は、光の強度の修正に供すると共に、透明度が場所に依存するフォイルから作製される。不所望なペリフェラルビームをフェードアウトしうる開き絞り１０が認識される。
【００４３】
図５に示すように、湾曲した焦点面を有するレンズを使用可能とするために、フィルム１を湾曲して形成することも可能である。
【００４４】
図６に示した装置によって、移動した画像を撮像することができる。移動の間に露光が変化し、好適にはビューワーがシーンのディスプレイ時に沿って移動すべき個所で、光非透過性フォイル１５における光透過性テープ１６が長く移動する。
【００４５】
図７は、ミラー２０を具えるシステムを示している。このシステムは空間的な画像反転を阻止し、本実施形態においては、レンズ系を具えたフィルムに２個のリトロレフレクタフォイル２２，３３及び１個の半透明ミラー２０を対応させる。このようにして、フィルム２１の形状とする露光システム２３の三次元ポジティブを直接的に作製することができる。その際、中間生産物として三次元ネガティブ‐ホロウ画像が生じることはない。光線２５，２６，２７又は２８，２９，３０は、矢３１，３２で示すように、リトロレフレクタ２２，２３又は半透明ミラー２０で反射する。
【００４６】
図８は、隔壁として機能する管材３５及び三次元フィルムを具えるディスク３４を示している。ディスク３４は、僅かな度数内で急激に上昇する入射角に依存した透明性を有する。管材３５の軸線３５は、ディスク法線３６に対して平行に延在する。
【００４７】
以下、更に別の実施形態について説明する。
【００４８】
レンズサイズの選択については、各レンズが表象可能な各観照方向に対して三次元画像のピクセルを表象することに留意しなければならない。角分解能の上限は、二つのメカニズムによって決定される。
【００４９】
レンズ、即ち、ピクセルが見える角度αは、下記の公式によって近似的に決定される：
α＝ｓｉｎ（α）＝Ｄ／Ｂ
ここで：
Ｄ：レンズ系のレンズ直径
Ｂ：規定の観照距離
【００５０】
レンズ開口は、光を屈折すると共に、フィルム上に屈折ディスクを生じる。それによって求められた分解可能な最小角度（ε）は、下記の公式によって示される：
ε＝１．２２*λ／D
ここで：
D：レンズ系のレンズ直径
λ：使用された光波長
１．２２は、円形レンズの先行ファクタである。
【００５１】
α＝εの場合、両プロセスから生じる分解可能な最小角度が生じる。したがって、規定の観照距離から最適なレンズ直径が求められる。  
α＝ε＜＝＞D／B＝１．２２*λ／D＜＝＞D*D＝B*１．２２*λ
【００５２】
６００nmの平均的な光波長で算出した幾つかのレンズサイズを下記の表に記載する。  
観照距離                レンズ直径            分解可能な角度
ｃｍ                    ｍｍ                  rad
３０                    ０．４７              ０．００１５６
６０                    ０．６６              ０．００１０８
１２０                  ０．９４              ０．０００７８
２４０                  １．３３              ０．０００５４
４８０                  １．８７              ０．０００３９
９８０                  ２．６５              ０．０００２７
【００５３】
フィルム解像の選択については、分解可能なフィルム上の２点間の距離はｓ=ｆ*εから生じることに留意する。  
ここで：
ε：分解可能な最小角度
ｆ：レンズの焦点距離
【００５４】
図面にのみ示された全ての特徴は、単独及び組み合わせとして本発明の本質と見なされる。
【図面の簡単な説明】
【００５５】
【図１】本発明の第１フィルムの露光を示す構成図である。
【図２】三次元ディスプレイの撮像における第２フィルムの露光を示す構成図である。
【図３】算出した画像データを表示する露光システムを用いたフィルム露光を示す構成図である。
【図４】レンズ系を具えるフィルムを示す構成図である。
【図５】湾曲して形成したフィルムを示す構成図である。
【図６】移動した画像を撮像する装置を示す構成図である。
【図７】レフレクタフォイルとミラーとを具えるシステムを示す構成図である。
【図８】透明性が入射角に依存するディスクを具えるシステムを示す構成図である。
【符号の説明】
【００５６】
１'，１”，２１    フィルム
２，２３    露光システム
３’，３”    レンズ系
４’，４”  対向する側面
５，６，７，５’，６’，７’    レンズ
８    隔壁
９    気体又は液体
１０    開き絞り
１２    第１撮像システム
１３    第２撮像システム
１４    ディスプレイ
１５    光非透過性フォイル
１６    光透過性テープ
２０    ミラー
２２，２３    リトロレフレクタフォイル
２５，２６，２７，２８，２９，３０    光線
３１，３２    矢印
３４    ディスク
３５    管材
【図１】
2007504483.tif 000003
【図２】
2007504483.tif 000004
【図３】
2007504483.tif 000005
【図４】
2007504483.tif 000006
【図５】
2007504483.tif 000007
【図６】
2007504483.tif 000008
【図７】
2007504483.tif 000009
【図８】
2007504483.tif 000010
【国際調査報告】
2007504483.tif 000011
2007504483.tif 000012
2007504483.tif 000013
2007504483.tif 000014
2007504483.tif 000015
2007504483.tif 000016
2007504483.tif 000017
2007504483.tif 000018
2007504483.tif 000019
2007504483.tif 000020
2007504483.tif 000021
2007504483.tif 000022
2007504483.tif 000023
2007504483.tif 000024